(57)【要約】【課題】印刷物の撮像画像とともに印刷物の印刷データに関連する情報を表示することで利便性を向上させる。【解決手段】携帯端末１００は、文書データが印刷された印刷物の撮像画像から符合化情報を抽出し、抽出した符号化情報を復号して識別情報を抽出し、抽出した識別情報および印刷物の印刷データの差分情報の要求をサーバ装置に送信し、差分情報をサーバ装置から受信し、撮像画像と受信した差分情報とを表示する。サーバ装置は、識別情報および差分情報の要求を、携帯端末１００から受信し、記憶部に記憶された文書情報から、受信した識別情報に対応する印刷物の文書データを特定し、特定された印刷物の文書データの差分情報を生成して、生成した差分情報を携帯端末に送信する。【選択図】図２
2013255014.tif 000002
【特許請求の範囲】
【請求項１】
撮像装置と、サーバ装置とを備えた画像処理システムにおいて、
前記撮像装置は、
印刷データと、該印刷データを識別する識別情報を符号化した符号化情報とが印刷された印刷物を撮像する撮像手段と、
前記撮像手段で撮像した撮像画像から符号化情報を抽出し、抽出した符号化情報を復号して識別情報を抽出する抽出手段と、
前記抽出手段で抽出した識別情報を前記サーバ装置に送信する第１送信手段と、
前記第１送信手段で送信した識別情報に基づいて前記サーバ装置から送信される、前記印刷データに関連する関連情報を受信する第１受信手段と、
前記撮像手段で撮像した撮像画像と、前記第１受信手段で受信した関連情報とを表示部に表示させる表示制御手段と、
を備え、
前記サーバ装置は、
印刷データと、該印刷データを識別する識別情報とを対応付けて記憶する第１記憶手段と、
前記撮像装置から送信される識別情報を受信する第２受信手段と、
前記第１記憶手段に記憶されている識別情報の中から前記第２受信手段で受信した識別情報に対応する識別情報を検索し、該検索した識別情報に対応付けられて前記第１記憶手段に記憶されている印刷データを特定する特定手段と、
前記特定手段により特定された印刷データに関連する関連情報を、前記撮像装置に送信する第２送信手段と、
を備えることを特徴とする画像処理システム。
【請求項２】
前記関連情報は、前記印刷物の印刷データと、前記印刷物の印刷データと異なるバージョンの印刷データとの差分を示す差分情報であり、
前記第１記憶手段は、印刷データと、該印刷データの識別情報と、該印刷データのバージョンとを対応付けて記憶し、
前記第１受信手段は、前記第１送信手段で送信した識別情報に基づいて前記サーバ装置から送信される前記差分情報を受信し、
前記表示制御手段は、前記撮像手段で撮像した撮像画像と、前記第１受信手段で受信した前記差分情報とを前記表示部に表示させ、
前記サーバ装置は、
前記特定手段により特定された印刷データと、該印刷データと異なるバージョンの印刷データとから、前記差分情報を生成する生成手段をさらに備え、
前記第２送信手段は、生成した前記差分情報を、前記撮像装置に送信することを特徴とする請求項１に記載の画像処理システム。
【請求項３】
前記撮像装置は、
前記撮像装置を利用するユーザを識別するユーザ情報を記憶する第２記憶手段をさらに備え、
前記第１送信手段は、前記抽出手段で抽出した識別情報および前記ユーザ情報を、前記サーバ装置に送信し、
前記サーバ装置は、
前記ユーザ情報と、ユーザに対していずれのバージョンの印刷データへアクセスが許可されているかを定めたアクセス権とを対応付けて記憶する第３記憶手段をさらに備え、
前記第２受信手段は、前記撮像装置から送信される識別情報および前記ユーザ情報を受信し、
前記生成手段は、前記特定手段により特定された印刷データと、受信した前記ユーザ情報に対応する前記アクセス権により許可されたバージョンの印刷データであって、前記特定された印刷データと異なるバージョンの印刷データとから、前記差分情報を生成することを特徴とする請求項２に記載の画像処理システム。
【請求項４】
前記差分情報は、前記特定手段により特定された印刷データと、受信した前記ユーザ情報に対応する前記アクセス権により許可されたバージョンの印刷データのうち、最新のバージョンの印刷データとの差分を示し、
前記生成手段は、前記特定手段により特定された印刷データと、前記最新のバージョンの印刷データとから、前記差分情報を生成することを特徴とする請求項３に記載の画像処理システム。
【請求項５】
前記撮像装置は、
前記印刷物の印刷データとの差分表示を所望する印刷データのバージョンの指定を受け付ける入力受付手段をさらに備え、
前記差分情報は、前記特定手段により特定された印刷データと、受信した前記ユーザ情報に対応する前記アクセス権により許可されたバージョンの印刷データであって、指定されたバージョンの印刷データとの差分を示し、
前記第１送信手段は、前記抽出手段で抽出した識別情報、前記ユーザ情報、および前記バージョンの指定を、前記サーバ装置に送信し、
前記第２受信手段は、前記撮像装置から送信される識別情報、前記ユーザ情報、および前記バージョンの指定を受信し、
前記生成手段は、前記特定手段により特定された印刷データと、前記指定されたバージョンの印刷データとから、前記差分情報を生成することを特徴とする請求項３に記載の画像処理システム。
【請求項６】
前記関連情報は、前記印刷物の印刷データに付随する付加情報であり、
前記第１記憶手段は、印刷データと、該印刷データの識別情報と、該印刷データの前記付加情報とを対応付けて記憶し、
前記第１受信手段は、前記第１送信手段で送信した識別情報に基づいて前記サーバ装置から送信される前記付加情報を受信し、
前記表示制御手段は、前記撮像手段で撮像した撮像画像と、前記第１受信手段で受信した前記付加情報とを前記表示部に表示させ、
前記サーバ装置は、
前記特定手段により特定された印刷データに対応付けて前記第１記憶手段に記憶されている前記付加情報を取得する取得手段をさらに備え、
前記第２送信手段は、取得した前記付加情報を、前記撮像装置に送信することを特徴とする請求項１に記載の画像処理システム。
【請求項７】
前記撮像装置は、
前記撮像装置を利用するユーザを識別するユーザ情報を記憶する第２記憶手段をさらに備え、
前記第１記憶手段は、印刷データと、該印刷データの識別情報と、該印刷データの前記付加情報と、該印刷データのバージョンとを対応付けて記憶し、
前記第１送信手段は、前記抽出手段で抽出した識別情報および前記ユーザ情報を、前記サーバ装置に送信し、
前記サーバ装置は、
前記ユーザ情報と、ユーザに対していずれのバージョンの印刷データへアクセスが許可されているかを定めたアクセス権とを対応付けて記憶する第３記憶手段をさらに備え、
前記第２受信手段は、前記撮像装置から送信される識別情報および前記ユーザ情報を受信し、
前記取得手段は、前記特定手段により特定された印刷データに対応し、かつ受信した前記ユーザ情報に対応する前記アクセス権により許可されたバージョンの印刷データの前記付加情報を取得することを特徴とする請求項６に記載の画像処理システム。
【請求項８】
サーバ装置とネットワークを介して接続された撮像装置において、
印刷データと、該印刷データを識別する識別情報を符号化した符号化情報とが印刷された印刷物を撮像する撮像手段と、
前記撮像手段で撮像した撮像画像から符号化情報を抽出し、抽出した符号化情報を復号して識別情報を抽出する抽出手段と、
前記抽出手段で抽出した識別情報を前記サーバ装置に送信する送信手段と、
前記送信手段で送信した識別情報に基づいて前記サーバ装置から送信される、前記印刷データに関連する関連情報を受信する受信手段と、
前記撮像手段で撮像した撮像画像と、前記受信手段で受信した関連情報とを表示部に表示させる表示制御手段と、
を備えることを特徴とする撮像装置。
【請求項９】
撮像装置とネットワークを介して接続されたサーバ装置において、
印刷データと、該印刷データを識別する識別情報とを対応付けて記憶する記憶手段と、
前記撮像装置から送信される識別情報を受信する受信手段と、
前記記憶手段に記憶されている識別情報の中から前記受信手段で受信した識別情報に対応する識別情報を検索し、該検索した識別情報に対応付けられて前記記憶手段に記憶されている印刷データを特定する特定手段と、
前記特定手段により特定された印刷データに関連する関連情報を、前記撮像装置に送信する第２送信手段と、
を備えることを特徴とするサーバ装置。
【発明の詳細な説明】
【技術分野】
【０００１】
本発明は、画像処理システム、撮像装置、およびサーバ装置に関する。
【背景技術】
【０００２】
従来、文書などの印刷データをサーバ装置に保存し、当該保存された印刷データを複数の人数で管理するファイル管理技術が一般的に知られている。また、携帯端末などの表示部に表示された画面上に、カメラにより撮影された画像などの情報だけでなく、撮影された画像に関連する情報を付加して表示するＡＲ（Augmented  Reality：拡張現実）も一般的に知られている。
【０００３】
ファイル管理技術として、例えば、ファイルを印刷する目的で、ファイルのバージョンを管理する画像形成装置が開示されている（特許文献１参照）。この画像形成装置は、ファイルの電子データが変更される毎に、その変更前後の差分に係る差分データを取得して、取得した差分データを電子データに関連する情報であるバージョンデータとして記憶しておき、バージョンデータの選択に係る操作情報が取得されたとき、選択されたバージョンデータを表示画面上に表示させるものである。
【発明の概要】
【発明が解決しようとする課題】
【０００４】
しかしながら、従来のファイル管理技術では、文書などの印刷データが印刷された印刷物に対して管理することはできなかった。また、上記特許文献１のような画像形成装置では、ファイルごとの差分を表示することはできるが、印刷された後の文書（印刷物）に対して、差分データのような当該文書に関連する情報を表示することはできず、利便性が損なわれていた。
【０００５】
本発明は、上記に鑑みてなされたものであって、利便性を向上させた画像処理システム、撮像装置、およびサーバ装置を得ることを目的とする。
【課題を解決するための手段】
【０００６】
上述した課題を解決し、目的を達成するために、本発明は、撮像装置と、サーバ装置とを備えた画像処理システムにおいて、前記撮像装置は、印刷データと、該印刷データを識別する識別情報を符号化した符号化情報とが印刷された印刷物を撮像する撮像手段と、前記撮像手段で撮像した撮像画像から符号化情報を抽出し、抽出した符号化情報を復号して識別情報を抽出する抽出手段と、前記抽出手段で抽出した識別情報を前記サーバ装置に送信する第１送信手段と、前記第１送信手段で送信した識別情報に基づいて前記サーバ装置から送信される、前記印刷データに関連する関連情報を受信する第１受信手段と、前記撮像手段で撮像した撮像画像と、前記第１受信手段で受信した関連情報とを表示部に表示させる表示制御手段と、を備え、前記サーバ装置は、印刷データと、該印刷データを識別する識別情報とを対応付けて記憶する第１記憶手段と、前記撮像装置から送信される識別情報を受信する第２受信手段と、前記第１記憶手段に記憶されている識別情報の中から前記第２受信手段で受信した識別情報に対応する識別情報を検索し、該検索した識別情報に対応付けられて前記第１記憶手段に記憶されている印刷データを特定する特定手段と、前記特定手段により特定された印刷データに関連する関連情報を、前記撮像装置に送信する第２送信手段と、を備えることを特徴とする。
【０００７】
また、本発明は、サーバ装置とネットワークを介して接続された撮像装置において、印刷データと、該印刷データを識別する識別情報を符号化した符号化情報とが印刷された印刷物を撮像する撮像手段と、前記撮像手段で撮像した撮像画像から符号化情報を抽出し、抽出した符号化情報を復号して識別情報を抽出する抽出手段と、前記抽出手段で抽出した識別情報を前記サーバ装置に送信する送信手段と、前記送信手段で送信した識別情報に基づいて前記サーバ装置から送信される、前記印刷データに関連する関連情報を受信する受信手段と、前記撮像手段で撮像した撮像画像と、前記受信手段で受信した関連情報とを表示部に表示させる表示制御手段と、を備えることを特徴とする。
【０００８】
また、本発明は、撮像装置とネットワークを介して接続されたサーバ装置において、印刷データと、該印刷データを識別する識別情報とを対応付けて記憶する記憶手段と、前記撮像装置から送信される識別情報を受信する受信手段と、前記記憶手段に記憶されている識別情報の中から前記受信手段で受信した識別情報に対応する識別情報を検索し、該検索した識別情報に対応付けられて前記記憶手段に記憶されている印刷データを特定する特定手段と、前記特定手段により特定された印刷データに関連する関連情報を、前記撮像装置に送信する第２送信手段と、を備えることを特徴とする。
【発明の効果】
【０００９】
本発明によれば、利便性を向上させることができるという効果を奏する。
【図面の簡単な説明】
【００１０】
【図１】図１は、実施の形態１にかかる画像処理システムの構成図である。
【図２】図２は、実施の形態１にかかる携帯端末の構成を示すブロック図である。
【図３】図３は、ユーザ情報の一例を示す図である。
【図４】図４は、差分情報が表示された表示部の一例を示す図である。
【図５】図５は、実施の形態１にかかるサーバ装置の構成を示すブロック図である。
【図６】図６は、文書情報の一例を示す図である。
【図７】図７は、アクセス情報の一例を示す図である。
【図８】図８は、実施の形態１にかかる印刷装置の構成図である。
【図９】図９は、実施の形態１にかかる印刷装置の構成を示すブロック図である。
【図１０】図１０は、実施の形態１の携帯端末側における差分情報の表示処理の流れを示すフローチャートである。
【図１１】図１１は、実施の形態１のサーバ装置側における差分情報の表示処理の流れを示すフローチャートである。
【図１２】図１２は、実施の形態２にかかるサーバ装置の構成を示すブロック図である。
【図１３】図１３は、文書情報の一例を示す図である。
【図１４】図１４は、実施の形態２の携帯端末側における付加情報の表示処理の流れを示すフローチャートである。
【図１５】図１５は、実施の形態２のサーバ装置側における付加情報の表示処理の流れを示すフローチャートである。
【図１６】図１６は、実施の形態３の携帯端末側における差分情報の表示処理の流れを示すフローチャートである。
【図１７】図１７は、実施の形態３のサーバ装置側における差分情報の表示処理の流れを示すフローチャートである。
【発明を実施するための形態】
【００１１】
以下に添付図面を参照して、画像処理システム、撮像装置、およびサーバ装置の実施の形態を詳細に説明する。
【００１２】
（実施の形態１）
図１は、実施の形態１にかかる画像処理システムの構成図である。図１に示すように、本実施の形態の画像処理システムは、撮像装置としての携帯端末１００、２００、サーバ装置３００、および印刷装置４００がネットワークを介して接続されている。
【００１３】
サーバ装置３００は、共同で管理する文書データ（印刷データ）を保存・管理するものである。また、印刷装置４００は、プリンタや複合機等の画像形成（印刷）が可能な装置であって、文書データの印刷を行うものである。以下の実施の形態では、文書データを印刷した印刷物を例に挙げて説明するが、文書に限定されることなく、画像などを印刷した印刷物に対して同様の処理を行ってもよい。
【００１４】
携帯端末１００、２００は、文書データを印刷した印刷物を撮影し画面に表示するものである。本実施の形態では、携帯端末をユーザ毎に利用する例を示すが、複数人で一つの携帯端末を利用する構成としてもよい。また、本実施の形態の画像処理システムでは、携帯端末を２台接続した構成としているが、これに限定されることなく、１台もしくは３台以上接続する構成としてもよい。
【００１５】
本実施の形態の画像処理システムは、印刷装置４００により文書データが印刷された印刷物を、携帯端末１００が撮像する。携帯端末１００が、撮像された画像に含まれる文書データを識別する情報等をサーバ装置３００に送信すると、サーバ装置３００が当該文書データに関連する情報を携帯端末１００に送信する。そして、携帯端末１００は、受信した情報を、撮像画像と合成して表示するものである。以下に具体的に説明する。
【００１６】
まず、携帯端末１００について説明する。図２は、実施の形態１にかかる携帯端末の構成を示すブロック図である。ここでは、携帯端末１００について説明するが、携帯端末２００についても同様の構成となっている。図２に示すように、携帯端末１００は、カメラ１０１と、ネットワーク装置１０２と、表示部１０３と、入力部１０４と、記憶部１３０と、撮像制御部１１１と、ネットワーク制御部１１２と、表示制御部１１３と、入力受付部１１４と、モード切替部１１５と、画像処理部１１６と、抽出部１１７と、ユーザ情報管理部１１８とを主に備えている。
【００１７】
記憶部１３０は、携帯端末１００を利用するユーザを識別する情報であるユーザ情報を記憶するＨＤＤ（Hard  Disk  Drive）やメモリ等の記憶媒体である。図３は、ユーザ情報の一例を示す図である。図３に示すように、ユーザ情報は、ユーザ名「Ａ」と、ユーザに固有のユーザＩＤ「ａ００１」が対応付けられている。なお、本実施の形態では、一人のユーザが一台の携帯端末を利用している場合を示しているため、ユーザＡのみのユーザ情報が登録されているが、複数のユーザが一台の携帯端末を利用している場合には、ユーザ毎にユーザＩＤが対応付けられたユーザ情報を記憶することになる。なお、記憶部１３０は、第２記憶手段に相当する。
【００１８】
カメラ１０１は、被写体を撮像するものであって、撮像制御部１１１は、カメラ１０１による撮像処理を制御する。具体的には、撮像制御部１１１は、カメラ１０１によって、文書データと当該文書データを識別する識別情報を符号化した符号化情報とが印刷された印刷物を撮像する。
【００１９】
ここで、「符号化情報」とは、例えば、ＱＲコード（登録商標：Quick  Response  code）やアノトパターンなどである。本実施の形態の符号化情報は、印刷物に印刷された文書データが、いずれの文書データであるか（文書名）、いずれのバージョンであるか、いずれのページかを示す識別情報を符合化したものである。なお、ＱＲコード（登録商標）やアノトパターンを利用する構成に限定されず、カメラ１０１が撮像することで文書データを識別可能な手法であれば他の手法でもよい。
【００２０】
ネットワーク装置１０２は、サーバ装置３００や印刷装置４００と接続するものである。ネットワーク制御部１１２は、ネットワーク装置１０２を制御するものであり、ネットワーク装置１０２を介してサーバ装置３００や印刷装置４００との間で各種情報の送受信を行う。具体的には、ネットワーク制御部１１２は、抽出部１１７により抽出された識別情報と、差分情報の要求と、記憶部１３０に記憶されたユーザ情報とを、サーバ装置３００に送信する。また、ネットワーク制御部１１２は、サーバ装置３００から、送信した識別情報に基づいて生成された差分情報を受信する。
【００２１】
ここで、「差分情報」とは、印刷物の文書データに関連する情報（関連情報）であって、印刷物の文書データと、印刷物の文書データと異なるバージョンの文書データとの差分を示す情報である。また、本実施の形態では、「異なるバージョンの文書データ」とは、携帯端末１００を利用するユーザにアクセスが許可されたバージョンの文書データであって、最新のバージョンの文書データを示している。
【００２２】
表示部１０３は、文字や画像を表示するディスプレイなどであって、表示制御部１１３は、表示部１０３を制御するものである。具体的には、表示制御部１１３は、カメラ１０１により撮像された印刷物の撮像画像と、サーバ装置３００から受信した差分情報とを合成して表示部１０３に表示させる。
【００２３】
図４は、差分情報が表示された表示部の一例を示す図である。図４に示すように、表示部１０３には、印刷物１０の撮像画像と、印刷物１０の文書データと、最新のバージョンの印刷データとの差分情報２０が表示されている。差分情報２０は、印刷物のいずれの部分についての差分情報であるかを示すため、該部分と線で繋がれて表示される。
【００２４】
入力部１０４は、ユーザが操作する各種ボタンやディスプレイ等であって、入力受付部１１４は、入力部１０４からの各種入力を受け付けるものである。
【００２５】
モード切替部１１５は、ユーザにより入力された表示モードを切替えるものである。「表示モード」とは、カメラ１０１により印刷物を撮像した撮像画像を表示部１０３に表示する際の表示方法を定めたモードであり、「最新差分表示モード」、「付加情報表示モード」、「指定差分表示モード」などがある。
【００２６】
「最新差分表示モード」とは、印刷物の撮像画像と、撮像した印刷物の文書データと最新のバージョンの印刷データとの差分を示す差分情報とを表示部１０３に表示するモードである。「付加情報表示モード」とは、印刷物の撮像画像と、撮像した印刷物の文書データに付随する付加情報とを表示部１０３に表示するモードである。「指定差分表示モード」とは、印刷物の撮像画像と、撮像した印刷物の文書データと指定されたバージョンの印刷データとの差分を示す差分情報とを表示部１０３に表示するモードである。本実施の形態では、「最新差分表示モード」に設定された場合を説明する。なお、「付加情報表示モード」に設定された場合については実施の形態２で説明し、「指定差分表示モード」に設定された場合については実施の形態３で説明する。
【００２７】
画像処理部１１６は、印刷物の撮像画像に対して画像処理を行うものである。例えば、画像処理部１１６は、印刷物の撮像画像に、サーバ装置３００から受信した差分情報を合成して併せる画像処理を行う。
【００２８】
抽出部１１７は、カメラ１０１で撮像した撮像画像から符号化情報を抽出し、抽出した符号化情報を復号して、撮像された文書データの識別情報を抽出するものである。
【００２９】
ユーザ情報管理部１１８は、記憶部１３０に記憶されたユーザ情報を管理するものである。
【００３０】
次に、サーバ装置３００について説明する。図５は、実施の形態１にかかるサーバ装置の構成を示すブロック図である。図５に示すように、サーバ装置３００は、ネットワーク装置３０１と、記憶部３３０と、ネットワーク制御部３１１と、識別情報生成部３１２と、管理部３１３と、特定部３１４と、差分情報生成部３１５とを主に備えている。
【００３１】
記憶部３３０は、文書データを記憶するＨＤＤやメモリ等の記憶媒体である。また、記憶部３３０は、印刷物に印刷される文書データの文書名と、文書データのバージョンと、文書データのページと、文書データの識別情報とを対応付けた文書情報（印刷情報）が記憶されている。図６は、文書情報の一例を示す図である。図６に示すように、文書情報は、文書名「ｄｏｃｕｍｅｎｔ．１」等と、バージョン「Ｖｅｒ．２」等と、ページ「１」「２」等と、識別情報「Ｖ２００１」「Ｖ２００２」等とが対応付けられている。なお、記憶部３３０には、過去のバージョンの文書データも識別情報と対応付けて保存されている。
【００３２】
また、記憶部３３０は、ユーザ情報と、ユーザに対していずれのバージョンの文書データへアクセスが許可されているかを定めたアクセス権とを対応付けたアクセス情報を記憶している。図７は、アクセス情報の一例を示す図である。図７に示すように、ユーザ名「Ａ」等と、ユーザＩＤ「ａ００１」等と、アクセス権「全て」等とが対応付けられている。なお、記憶部３３０は、第１記憶手段および第３記憶手段に相当する。
【００３３】
ネットワーク装置３０１は、携帯端末１００、２００や印刷装置４００と接続するものである。ネットワーク制御部３１１は、ネットワーク装置３０１を制御するものであり、ネットワーク装置３０１を介して携帯端末１００、２００や印刷装置４００との間で各種情報の送受信を行う。具体的には、ネットワーク制御部３１１は、携帯端末１００から、文書データの識別情報、ユーザ情報、および差分情報の要求を受信する。また、ネットワーク制御部３１１は、差分情報生成部３１５により生成された差分情報を、携帯端末１００に送信する。また、ネットワーク制御部３１１は、印刷装置４００に、識別情報を符号化した符号化情報を付加した文書データとともに印刷指示を送信する。
【００３４】
識別情報生成部３１２は、文書データにおけるバージョンおよびページを示す識別情報を生成し、当該識別情報を符号化した符号化情報を生成する。本実施の形態では、サーバ装置３００から記憶部３３０に記憶された文書データを印刷装置４００に送信して印刷指示を送信する場合に、文書データの各ページに符号化情報を付加するが、この際に識別情報生成部３１２は識別情報を生成し、当該識別情報から符号化情報を生成する。そして、識別情報生成部３１２は、生成した識別情報を、記憶部３３０における文書情報に対応付けて保存する。
【００３５】
なお、ここでは、サーバ装置３００において識別情報および符号化情報を生成しているが、これに限定されることはない。すなわち、例えば、サーバ装置３００から、文書データの文書名、バージョン、ページ数、ユーザ情報などを印刷装置４００に送信すると、印刷装置４００において識別情報を生成し、当該識別情報から符合化情報を生成して文書データに付加して印刷する。そして、ネットワーク経由で印刷装置４００からサーバ装置３００に識別情報を送信して、記憶部３３０における文書情報に対応付けて保存してもよい。また、文書データのバージョンが変更されると識別情報も同期して変更され、サーバ装置３００に記憶されている文書情報に対応付けて保存されるようにしてもよい。
【００３６】
管理部３１３は、記憶部３３０に記憶されているアクセス情報の保持・管理を行うものである。また、管理部３１３は、記憶部３３０に記憶されている文書データ、および文書情報の保持・管理を行う。
【００３７】
特定部３１４は、ネットワーク制御部３１１により、携帯端末１００から、識別情報、差分情報の要求、およびユーザ情報を受信した場合、記憶部３３０に記憶された文書情報を参照して、文書情報に記憶されている識別情報の中から受信した識別情報に対応する識別情報に対応する識別情報を検索し、検索した識別情報に対応付けられて文書情報に記憶されている印刷データを、携帯端末１００により撮像された印刷物の文書データとして特定するものである。
【００３８】
差分情報生成部３１５は、記憶部３３０に記憶されたアクセス情報を参照して、ユーザのアクセス権の範囲内において、差分情報を生成する。すなわち、差分情報生成部３１５は、特定部３１４により特定された文書データと、携帯端末１００から受信したユーザ情報（ユーザ名・ユーザＩＤ）に対応するアクセス権により許可されたバージョンの文書データのうち、最新のバージョンの文書データとを比較して公知の技術により差分を抽出し、抽出した差分に基づいて差分情報を生成する。なお、差分情報は文書データのページ単位で生成される。差分情報生成部３１５は、生成手段に相当する。
【００３９】
図７を参照して具体例を説明する。例えば、ユーザＡの利用する携帯端末から差分情報の要求を受信した場合、ユーザＡは、全てのバージョンの文書データに対してアクセス権を有しているため、特定された文書データと、全てのバージョンにおける最新のバージョンの文書データとの差分に基づいて差分情報を生成する。また、ユーザＢは、バージョン２〜３（Ｖｅｒ．２〜３）の文書データに対してアクセス権を有しているため、特定された文書データと、バージョン２〜３のうちの最新のバージョンの文書データとの差分に基づいて差分情報を生成する。
【００４０】
次に、印刷装置４００について説明する。図８は、実施の形態１にかかる印刷装置の構成図である。印刷装置４００は、装置の制御を行うコントローラと、用紙などの記録媒体に文書データなどの画像を印刷するエンジン４０７と、ユーザが入力操作を行ったり、装置の状態を表示するパネル４０８とを備えている。
【００４１】
コントローラは、ＣＰＵ（Central  Processing  Unit）４１１と、ＲＯＭ（Read  Only  Memory）４１２と、ＲＡＭ（Random  Access  Memory）４１３と、メモリアービタ４１４と、ＮＶＲＡＭ（Non  Volatile  RAM）４１５と、ネットワークＩ／Ｆ（interface）４１６と、エンジンＩ／Ｆ４１７と、パネルＩ／Ｆ４１８とを主に備えている。
【００４２】
ＣＰＵ４１１は、ソフトウエアプログラムの命令を実行する。ＲＯＭ４１２は、コントローラ上で動作するためのプログラムを格納する。ＲＡＭ４１３は、コントローラソフトが作成するページメモリやソフトウエアが動作するために必要なワークメモリであり、メモリアービタ４１４は、ＲＡＭ４１３へのアクセスを制御する。ＮＶＲＡＭ４１５は、印刷装置４００の印刷条件設定などを保存しておく不揮発性メモリである。ネットワークＩ／Ｆ４１６は、ネットワーク上に接続されたサーバ装置３００とデータのやり取りを行うものである。エンジンＩ／Ｆ４１７は、エンジン４０７との間で印刷指示等を行う。パネルＩ／Ｆ４１８は、パネル４０８との間で入出力を行う。
【００４３】
図９は、実施の形態１にかかる印刷装置の構成を示すブロック図である。図９に示すように、印刷装置４００は、記憶部４３０と、受信部４２１と、画像生成部４２２と、印刷部４２３とを主に備えている。
【００４４】
記憶部４３０は、サーバ装置３００から受信した文書データを保存するＨＤＤやメモリ等の記憶媒体である。受信部４２１は、サーバ装置３００から、符合化情報を付加した文書データとともに印刷指示を受信する。画像生成部４２２は、サーバ装置３００から受信した文書データに基づいて印刷画像を生成する。印刷部４２３は、エンジン４０７により文書データの印刷を行う。
【００４５】
次に、携帯端末１００側における差分情報の表示処理について説明する。図１０は、実施の形態１の携帯端末側における差分情報の表示処理の流れを示すフローチャートである。なお、当該表示処理は、入力受付部１１４により入力部１０４からユーザによる最新差分表示モードに設定する旨の入力を受け付け、モード切替部１１５により最新差分表示モードに設定された後に行われる。
【００４６】
まず、撮像制御部１１１は、カメラ１０１により印刷物を撮像する（ステップＳ１０）。次に、抽出部１１７は、印刷物を撮像した撮像画像から符合化情報を抽出し、抽出した符合化情報から識別情報を抽出する（ステップＳ１１）。ユーザ情報管理部１１８は、ユーザ情報を取得する（ステップＳ１２）。
【００４７】
ネットワーク制御部１１２は、抽出された識別情報、取得されたユーザ情報、および差分情報の要求をサーバ装置３００に送信する（ステップＳ１３）。そして、画像処理部１１６は、サーバ装置３００から差分情報を受信したか否かを判断し（ステップＳ１４）、差分情報を受信していない場合は（ステップＳ１４：Ｎｏ）、受信するまで待機する。
【００４８】
一方、差分情報を受信した場合は（ステップＳ１４：Ｙｅｓ）、画像処理部１１６は、印刷物の撮像画像に受信した差分情報を併せ、表示制御部１１３が表示部１０３に表示させる（ステップＳ１５）。
【００４９】
次に、サーバ装置３００側における差分情報の表示処理について説明する。図１１は、実施の形態１のサーバ装置側における差分情報の表示処理の流れを示すフローチャートである。
【００５０】
ネットワーク制御部３１１は、識別情報、ユーザ情報、および差分情報の要求を携帯端末１００から受信する（ステップＳ２０）。
【００５１】
次に、文書情報を参照して、特定部３１４は、受信した識別情報に対応する文書データを特定する（ステップＳ２１）。差分情報生成部３１５は、記憶部３３０に記憶されたアクセス情報を参照し（ステップＳ２２）、ユーザのアクセス権の範囲内において、差分情報を生成する（ステップＳ２４）。
【００５２】
そして、ネットワーク制御部３１１は、生成された差分情報を携帯端末１００に送信する（ステップＳ２４）。
【００５３】
このように、本実施の形態の画像処理システムでは、文書データが印刷された印刷物を携帯端末１００により撮像し、撮像画像に含まれる符合化情報を復号した識別情報、差分情報の要求等をサーバ装置３００に送信すると、サーバ装置３００がアクセス権に応じて当該文書データと最新のバージョンの文書データとの差分情報を生成し、携帯端末１００に送信する。そして、携帯端末１００は、受信した差分情報を、印刷物の撮像画像と合成して表示する。これにより、携帯端末１００において、撮像した印刷物の文書データとともに、当該印刷物のバージョンと異なるバージョン（最新のバージョン）の文書データとの差分を表示することができるため、ユーザは最新のバージョンの文書データを印刷することなく、最新のバージョンの文書データの内容を把握することができ、利便性を向上させることができる。
【００５４】
（実施の形態２）
実施の形態１では、印刷物の文書データと最新のバージョンの文書データとの差分情報をサーバ装置から受信して、携帯端末において撮像画像と合成して表示するものであった。これに対し、本実施の形態では、印刷物の文書データに付随されている情報をサーバ装置から受信して、携帯端末において撮像画像と合成して表示するものである。
【００５５】
実施の形態２にかかる画像処理システムの構成、および印刷装置の構成については、実施の形態１と同様である（図１参照）。実施の形態２にかかる携帯端末の構成も、実施の形態１と同様であるため、図２を参照して異なる部分のみを説明する。
【００５６】
ネットワーク制御部１１２は、ネットワーク装置１０２を制御するものであり、ネットワーク装置１０２を介してサーバ装置５００や印刷装置４００との間で各種情報の送受信を行う。具体的には、ネットワーク制御部１１２は、抽出部１１７により抽出された識別情報、および付加情報の要求と、記憶部１３０に記憶されたユーザ情報とを、サーバ装置５００に送信する。また、ネットワーク制御部１１２は、サーバ装置５００から、送信した識別情報に基づいて取得された付加情報を受信する。
【００５７】
ここで、「付加情報」とは、印刷物の文書データに関連する情報（関連情報）であって、印刷物の文書データに付随する情報である。例えば、文書データにおける本文以外の文章等であって、コメントや説明文といった情報を示す。
【００５８】
表示制御部１１３は、表示部１０３を制御するものである。具体的には、表示制御部１１３は、カメラ１０１により撮像された印刷物の撮像画像と、サーバ装置５００から受信した付加情報とを合成して表示部１０３に表示させる。
【００５９】
画像処理部１１６は、印刷物の撮像画像に対して画像処理を行うものである。例えば、画像処理部１１６は、印刷物の撮像画像に、サーバ装置５００から受信した付加情報を合成して併せる画像処理を行う。
【００６０】
次に、サーバ装置５００について説明する。図１２は、実施の形態２にかかるサーバ装置の構成を示すブロック図である。図１２に示すように、サーバ装置５００は、ネットワーク装置３０１と、記憶部３３０と、ネットワーク制御部５１１と、識別情報生成部３１２と、管理部３１３と、特定部３１４と、付加情報取得部５１５とを主に備えている。ここで、ネットワーク装置３０１と、識別情報生成部３１２と、管理部３１３と、特定部３１４の構成および機能は、実施の形態１と同様である。
【００６１】
本実施の形態では、記憶部３３０に、印刷物に印刷される文書データの文書名と、文書データのバージョンと、文書データのページと、文書データの識別情報と、文書データに付随する付加情報とを対応付けた文書情報が記憶されている。図１３は、文書情報の一例を示す図である。図１３に示すように、文書情報は、文書名「ｄｏｃｕｍｅｎｔ．１」等と、バージョン「Ｖｅｒ．２」等と、ページ「１」「２」等と、識別情報「Ｖ２００１」「Ｖ２００２」等と、付加情報「コメントｃ１」「コメントｃ２、説明ｅ１」等とが対応付けられている。また、記憶部３３０は、実施の形態１と同様、文書データおよびアクセス情報とを記憶している。
【００６２】
ネットワーク制御部５１１は、ネットワーク装置３０１を制御するものであり、ネットワーク装置３０１を介して携帯端末１００、２００や印刷装置４００との間で各種情報の送受信を行う。具体的には、ネットワーク制御部５１１は、携帯端末１００から、印刷データの識別情報、および付加情報の要求を受信する。また、ネットワーク制御部５１１は、付加情報取得部５１５により取得された付加情報を、携帯端末１００に送信する。また、ネットワーク制御部５１１は、印刷装置４００に、識別情報を符号化した符号化情報を付加した文書データとともに印刷指示を送信する。
【００６３】
付加情報取得部５１５は、記憶部３３０に記憶されたアクセス情報を参照して、ユーザのアクセス権の範囲内において、付加情報を取得する。すなわち、付加情報取得部５１５は、特定部３１４により特定された文書データに対応し、かつ携帯端末１００から受信したユーザ情報（ユーザ名・ユーザＩＤ）に対応するアクセス権により許可されたバージョンの文書データの付加情報を取得するものである。付加情報取得部５１５は、取得手段に相当する。
【００６４】
次に、携帯端末１００側における付加情報の表示処理について説明する。図１４は、実施の形態２の携帯端末側における付加情報の表示処理の流れを示すフローチャートである。なお、当該表示処理は、入力受付部１１４により入力部１０４からユーザによる付加情報表示モードに設定する旨の入力を受け付け、モード切替部１１５により付加情報表示モードに設定された後に行われる。
【００６５】
まず、撮像制御部１１１は、カメラ１０１により印刷物を撮像する（ステップＳ３０）。次に、抽出部１１７は、印刷物を撮像した撮像画像から符合化情報を抽出し、抽出した符合化情報から識別情報を抽出する（ステップＳ３１）。ユーザ情報管理部１１８は、ユーザ情報を取得する（ステップＳ３２）。
【００６６】
ネットワーク制御部１１２は、抽出された識別情報、取得されたユーザ情報、および付加情報の要求をサーバ装置５００に送信する（ステップＳ３３）。そして、画像処理部１１６は、サーバ装置５００から付加情報を受信したか否かを判断し（ステップＳ３４）、付加情報を受信していない場合は（ステップＳ３４：Ｎｏ）、受信するまで待機する。
【００６７】
一方、付加情報を受信した場合は（ステップＳ３４：Ｙｅｓ）、画像処理部１１６は、印刷物の撮像画像に受信した付加情報を併せ、表示制御部１１３が表示部１０３に表示させる（ステップＳ３５）。
【００６８】
次に、サーバ装置５００側における付加情報の表示処理について説明する。図１５は、実施の形態２のサーバ装置側における付加情報の表示処理の流れを示すフローチャートである。
【００６９】
ネットワーク制御部５１１は、識別情報、ユーザ情報、および付加情報の要求を携帯端末１００から受信する（ステップＳ４０）。
【００７０】
次に、文書情報を参照して、特定部３１４は、受信した識別情報に対応する文書データを特定する（ステップＳ４１）。付加情報取得部５１５は、記憶部３３０に記憶されたアクセス情報を参照し（ステップＳ４２）、ユーザのアクセス権の範囲内において、文書情報から特定された文書データに対応する付加情報を取得する（ステップＳ４３）。
【００７１】
そして、ネットワーク制御部５１１は、取得された付加情報を携帯端末１００に送信する（ステップＳ４４）。
【００７２】
このように、本実施の形態の画像処理システムでは、文書データが印刷された印刷物を携帯端末１００により撮像し、撮像画像に含まれる符合化情報を復号した識別情報、付加情報の要求等をサーバ装置５００に送信すると、サーバ装置５００がアクセス権に応じて当該文書データに付随する付加情報を取得し、携帯端末１００に送信する。そして、携帯端末１００は、受信した付加情報を、印刷物の撮像画像と合成して表示する。これにより、携帯端末１００において、撮像した印刷物の文書データとともに、文書データにおける本文以外の付加情報（コメントや説明文等）を表示することができるため、ユーザは文書データに付随する付加情報を印刷することなく、文書データの付加情報の内容を把握することができ、利便性を向上させることができる。
【００７３】
（実施の形態３）
実施の形態１では、印刷物の文書データと最新のバージョンの文書データとの差分情報をサーバ装置から受信して、携帯端末において撮像画像と合成して表示するものであった。これに対し、本実施の形態では、印刷物の文書データとユーザが指定したバージョンの文書データとの差分情報をサーバ装置から受信して、携帯端末において撮像画像と合成して表示するものである。
【００７４】
実施の形態３にかかる画像処理システムの構成、および印刷装置の構成については、実施の形態１と同様である（図１参照）。実施の形態３にかかる携帯端末の構成も、実施の形態１と同様であるため、図２を参照して異なる部分のみを説明する。
【００７５】
入力受付部１１４は、入力部１０４からの各種入力を受け付けるものである。具体的には、入力受付部１１４は、ユーザにより入力部１０４から、印刷物の文書データとの差分情報の表示を所望する文書データのバージョンの指定を受け付けるものである。
【００７６】
ここで、「差分情報」とは、実施の形態１と同じく、印刷物の文書データに関連する情報（関連情報）であって、印刷物の文書データと、印刷物の文書データと異なるバージョンの文書データとの差分を示す情報である。また、本実施の形態では、「異なるバージョンの文書データ」とは、携帯端末１００を利用するユーザにアクセスが許可されたバージョンの文書データであって、ユーザにより指定されたバージョンの文書データを示している。
【００７７】
ネットワーク制御部１１２は、ネットワーク装置１０２を制御するものであり、ネットワーク装置１０２を介してサーバ装置３００や印刷装置４００との間で各種情報の送受信を行う。具体的には、ネットワーク制御部１１２は、ユーザ情報とともに該ユーザに許可されたアクセス権の範囲内におけるバージョンの問い合わせをサーバ装置３００に送信し、サーバ装置３００から、当該問い合わせの応答であるバージョン情報を受信する。また、ネットワーク制御部１１２は、抽出部１１７により抽出された識別情報と、差分情報の要求と、記憶部１３０に記憶されたユーザ情報と、バージョンの指定とを、サーバ装置３００に送信する。また、ネットワーク制御部１１２は、サーバ装置３００から、送信した識別情報に基づいて生成された差分情報を受信する。
【００７８】
実施の形態３にかかるサーバ装置の構成も、実施の形態１と同様であるため、図５を参照して異なる部分のみを説明する。
【００７９】
ネットワーク制御部３１１は、ネットワーク装置３０１を制御するものであり、ネットワーク装置３０１を介して携帯端末１００、２００や印刷装置４００との間で各種情報の送受信を行う。具体的には、ネットワーク制御部３１１は、携帯端末１００からバージョンの問い合わせを受信し、管理部３１３により生成されたバージョン情報を携帯端末１００に送信する。また、ネットワーク制御部３１１は、携帯端末１００から、印刷データの識別情報、ユーザ情報、差分情報の要求、およびバージョンの指定を受信する。また、ネットワーク制御部３１１は、差分情報生成部３１５により生成された差分情報を、携帯端末１００に送信する。また、ネットワーク制御部３１１は、印刷装置４００に、識別情報を符号化した符号化情報を付加した文書データとともに印刷指示を送信する。
【００８０】
管理部３１３は、記憶部３３０に記憶されているアクセス情報の保持・管理を行うものである。また、管理部３１３は、記憶部３３０に記憶されている文書データ、および文書情報の保持・管理を行う。また、管理部３１３は、携帯端末１００からユーザ情報とともにバージョンの問い合わせを受信した場合、アクセス情報および文書情報を参照し、受信したユーザ情報に対応するアクセス権の範囲内において、ユーザがアクセス可能な文書データのバージョンを示すバージョン情報を生成する。
【００８１】
差分情報生成部３１５は、記憶部３３０に記憶されたアクセス情報を参照して、ユーザのアクセス権の範囲内において、差分情報を生成する。すなわち、差分情報生成部３１５は、特定部３１４により特定された文書データと、携帯端末１００から受信したユーザ情報（ユーザ名・ユーザＩＤ）に対応するアクセス権により許可されたバージョンの文書データであって、指定されたバージョンの文書データとを比較して公知の技術により差分を抽出し、抽出した差分に基づいて差分情報を生成する。なお、差分情報は文書データのページ単位で生成される。
【００８２】
次に、携帯端末１００側における差分情報の表示処理について説明する。図１６は、実施の形態３の携帯端末側における差分情報の表示処理の流れを示すフローチャートである。なお、当該表示処理は、入力受付部１１４により入力部１０４からユーザによる指定差分表示モードに設定する旨の入力を受け付け、モード切替部１１５により指定差分表示モードに設定された後に行われる。
【００８３】
まず、撮像制御部１１１は、カメラ１０１により印刷物を撮像する（ステップＳ５０）。次に、抽出部１１７は、印刷物を撮像した撮像画像から符合化情報を抽出し、抽出した符合化情報から識別情報を抽出する（ステップＳ５１）。ユーザ情報管理部１１８は、ユーザ情報を取得する（ステップＳ５２）。
【００８４】
そして、ネットワーク制御部１１２は、ユーザ情報とともにバージョンの問い合わせをサーバ装置３００に送信し（ステップＳ５３）、サーバ装置３００からの応答であるバージョン情報を受信する（ステップＳ５４）。入力受付部１１４は、ユーザから差分情報の表示を所望するバージョンの指定を受け付けたか否かを判断し（ステップＳ５５）、指定を受け付けていない場合は（ステップＳ５５：Ｎｏ）、受け付けるまで待機する。
【００８５】
一方、指定を受け付けた場合（ステップＳ５５：Ｙｅｓ）、ネットワーク制御部１１２は、抽出された識別情報、取得されたユーザ情報、差分情報の要求、およびバージョンの指定をサーバ装置３００に送信する（ステップＳ５６）。そして、画像処理部１１６は、サーバ装置３００から差分情報を受信したか否かを判断し（ステップＳ５７）、差分情報を受信していない場合は（ステップＳ５７：Ｎｏ）、受信するまで待機する。
【００８６】
一方、差分情報を受信した場合は（ステップＳ５７：Ｙｅｓ）、画像処理部１１６は、印刷物の撮像画像に受信した差分情報を併せ、表示制御部１１３が表示部１０３に表示ささる（ステップＳ５８）。
【００８７】
次に、サーバ装置３００側における差分情報の表示処理について説明する。図１７は、実施の形態３のサーバ装置側における差分情報の表示処理の流れを示すフローチャートである。
【００８８】
まず、ネットワーク制御部３１１は、ユーザ情報とともにバージョンの問い合わせを携帯端末１００から受信し（ステップＳ７０）、管理部３１３は、アクセス情報および文書情報を参照してバージョン情報を生成する（ステップＳ７１）。そして、ネットワーク制御部３１１は、バージョン情報を携帯端末１００に送信する（ステップＳ７２）。
【００８９】
次に、ネットワーク制御部３１１は、識別情報、ユーザ情報、差分情報の要求、およびバージョンの指定を携帯端末１００から受信する（ステップＳ７３）。
【００９０】
次に、文書情報を参照して、特定部３１４は、受信した識別情報に対応する文書データを特定する（ステップＳ７４）。差分情報生成部３１５は、記憶部３３０に記憶されたアクセス情報を参照し（ステップＳ７５）、ユーザのアクセス権の範囲内において、差分情報を生成する（ステップＳ７６）。
【００９１】
そして、ネットワーク制御部３１１は、生成された差分情報を携帯端末１００に送信する（ステップＳ７７）。
【００９２】
このように、本実施の形態の画像処理システムでは、文書データが印刷された印刷物を携帯端末１００により撮像し、撮像画像に含まれる符合化情報を復号した識別情報、差分情報の要求、バージョンの指定等をサーバ装置３００に送信すると、サーバ装置３００が当該文書データと指定されたバージョンの文書データとの差分情報を生成し、携帯端末１００に送信する。そして、携帯端末１００は、受信した差分情報を、印刷物の撮像画像と合成して表示する。これにより、携帯端末１００において、撮像した印刷物の文書データとともに、当該印刷物のバージョンと異なるバージョン（ユーザが指定したバージョン）の文書データとの差分を表示することができるため、ユーザは指定したバージョンの文書データを印刷することなく、指定したバージョンの文書データの内容を把握することができ、利便性を向上させることができる。
【００９３】
さらに、本実施の形態以外の他の構成について説明する。例えば、符合化情報を付加せずに印刷された印刷物については、撮像制御部で文字部分を画像から抽出しＯＣＲを行って文章データを解読する。解読された文章データをサーバ装置から検索して該当文書データを特定する。ここで、ＯＣＲおよび文章データの検索は処理負荷が大きいので携帯端末やサーバ装置上で行わずクラウドを用いることにより高速に実施が可能となる。この場合は撮像された画像を撮像制御部で処理せずに、クラウドサーバにＯＣＲおよび文書データの検索要求を送出することで文書データが特定される。文書が特定されれば、識別情報をサーバ装置に送信しなくとも文書データをバージョンにより特定でき、上述の実施の形態のように差分情報の表示処理を実施することができる。
【符号の説明】
【００９４】
１００、２００  携帯端末
１０１  カメラ
１０２  ネットワーク装置
１０３  表示部
１０４  入力部
１１１  撮像制御部
１１２  ネットワーク制御部
１１３  表示制御部
１１４  入力受付部
１１５  モード切替部
１１６  画像処理部
１１７  抽出部
１１８  ユーザ情報管理部
１３０  記憶部
３００、５００  サーバ装置
３０１  ネットワーク装置
３１１、５１１  ネットワーク制御部
３１２  識別情報生成部
３１３  管理部
３１４  特定部
３１５  差分情報生成部
３３０  記憶部
５１５  付加情報取得部
【先行技術文献】
【特許文献】
【００９５】
【特許文献１】特開２０１０−３４６９０号公報
【図１】
2013255014.tif 000003
【図２】
2013255014.tif 000004
【図３】
2013255014.tif 000005
【図４】
2013255014.tif 000006
【図５】
2013255014.tif 000007
【図６】
2013255014.tif 000008
【図７】
2013255014.tif 000009
【図８】
2013255014.tif 000010
【図９】
2013255014.tif 000011
【図１０】
2013255014.tif 000012
【図１１】
2013255014.tif 000013
【図１２】
2013255014.tif 000014
【図１３】
2013255014.tif 000015
【図１４】
2013255014.tif 000016
【図１５】
2013255014.tif 000017
【図１６】
2013255014.tif 000018
【図１７】
2013255014.tif 000019